(57)【要約】【課題】本発明では、提供主によるお勧め情報をマークシート上に反映し、記入者による記入が容易で、かつ記入者がマークシート上に指定した内容を誤り無く光読み取りできる、マークシート印刷機、及びマークシートを提供する。【解決手段】複数の選択可能な投票科目を、該投票科目の各々に対応して配列される指定欄をマーキングすることによって指定でき、該マーキングした指定欄を発券装置１００に光読み取りさせることで該マーキングした指定欄に基づく投票券の発券が行なえる、該指定欄を表面に構成する投票カード１２０に対し、印刷を施すカード印刷装置１０８を前提とし、的中予想を行なう的中予想算出手段１０８と、該的中予想の結果に対応する、該投票カードの指定欄に、該指定欄へのマーキングを推奨する推奨マークを印刷する推奨マーク印刷手段１０８と、を有する。【選択図】      図１
2004227254.tif 000002
【特許請求の範囲】
【請求項１】
複数の情報の中から選択した一つ以上の情報を、該複数の情報の各々に対応して配列される指定欄をマーキングすることによって指定でき、該選択した情報を数値データ化する際は、該マーキングされた指定欄の光読み取りによって該選択した情報を数値データ化させることができる光読み取りカードに対し、該光読み取りカードの該指定欄または該指定欄の近傍位置に印刷を施すカード印刷装置であって、
該光読み取りカードの少なくとも一つの該指定欄または該指定欄の近傍位置に、該指定欄へのマーキングを推奨する、可視であるが該光読み取りにおいて光読み取りできない推奨マークを印刷する推奨マーク印刷手段を有することを特徴とするカード印刷装置。
【請求項２】
複数の選択可能な投票科目を、該投票科目の各々に対応して配列される指定欄をマーキングすることによって指定でき、該マーキングした指定欄を発券装置に光読み取りさせることで該マーキングした指定欄に基づく投票券の発券が行なえる、該指定欄を表面に構成する投票カードに対し、該投票カードの該指定欄または該指定欄の近傍位置に印刷を施すカード印刷装置であって、
的中予想を行なう的中予想算出手段と、
該的中予想の結果に対応する、該投票カードの指定欄または該指定欄の近傍位置に、該指定欄へのマーキングを推奨する、可視であるが該発券装置において光読み取りされない推奨マークを印刷する推奨マーク印刷手段と、
を有することを特徴とするカード印刷装置。
【請求項３】
複数の選択可能な商品を、該商品の各々に対応して配列される商品指定欄をマーキングすることによって指定でき、該マーキングした商品指定欄を商品購入システムに光読み取りさせることで該マーキングした商品指定欄に基づく商品の取引が行なえる、該商品指定欄を表面に構成する商品購入カードに対し、該商品購入カードの該商品指定欄または該商品指定欄の近傍位置に印刷を施すカード印刷装置であって、
商品情報を管理する商品情報管理手段と、
該商品情報管理手段で管理されている商品情報を基にお勧め情報を設定するお勧め情報設定手段と、
該お勧め情報設定手段でお勧め情報として設定した商品に対応する、該商品購入カードの該商品指定欄または該商品指定欄の近傍位置に、該指定欄へのマーキングを推奨する、可視であるが該商品購入システムにおいて光読み取りされない推奨マークを印刷する推奨マーク印刷手段と、
を有することを特徴とするカード印刷装置。
【請求項４】
複数の情報の中から選択した一つ以上の情報を、該複数の情報の各々に対応して配列される指定欄をマーキングすることによって指定でき、該選択した情報を数値データ化する際は、該マーキングされた指定欄の光読み取りによって該選択した情報を数値データ化させることができる光読み取りカードであって、
該光読み取りカードの少なくとも一つの該指定欄または該指定欄の近傍位置に、該指定欄へのマーキングを推奨する、可視であるが該光読み取りにおいて光読み取りできない推奨マークが印刷されていることを特徴とする光読み取りカード。
【請求項５】
複数の選択可能な投票科目を、該投票科目の各々に対応して配列される指定欄をマーキングすることによって指定でき、該マーキングした指定欄を発券装置に光読み取りさせることで該マーキングした指定欄に基づく投票券の発券が行なえる、該指定欄を表面に構成する投票カードであって、
該指定欄または該指定欄の近傍位置に、該的中予想を示した、可視であるが該発券装置において光読み取りされない推奨マークが印刷されている、
ことを特徴とする投票カード。
【発明の詳細な説明】
【０００１】
【発明の属する技術分野】
本発明は、マークシートなど、光学式で読み取りが行なわれる注文カードに対し、お客様へ推奨する推奨情報を印刷するサービスに関する。
【０００２】
【従来の技術】
複数の選択項目の中から任意の項目を選び、その選んだ項目をコンピュータで認識できるように数値データ化させるための仲介媒体の一つとして、マークシートがある。
【０００３】
このマークシートを使用すれば、所望の項目に対応するマークシート上の記入欄をマーキングしてＯＭＲ（Ｏｐｔｉｃａｌ  Ｍａｒｋｃａｒｄ  Ｒｅａｄｅｒ）に通すだけで、そのマーキングした記入欄は光読み取りされ、選択した項目が数値データへ変換される。
【０００４】
マークシートには一般に、タイミングマークと呼ばれる、マークシートの指定欄の位置を検出するための矩形マークが、マークシートの縁に設けられている。このマークシートをＯＭＲに通すと、そのタイミングマークの位置を基準に、一般的に矩形で示される上記指定欄の個々の位置を検出し、その中から、マーキングされている指定欄を抽出する。
【０００５】
そして、抽出された指定欄の位置を、予め記憶している項目との対比表から特定して、選択した項目を数値データ化することができる。
このようにマークシートで指定され数値データ化された各種の項目は、コンピュータを用いて、例えば集計など、各種の演算処理を一括して取り扱うことが可能となる。
【０００６】
上記マークシートを利用して集計処理や各種の演算処理を行なわせている例としては、例えば、公営競技である競馬・競艇・競輪・宝くじなどの投票ゲームにおける投票券（勝ち馬投票券・勝船投票券・勝者投票券・当せん金付証票）の発券の場面や、通信販売などにおける購入希望商品を指定する場面などに見られる。
【０００７】
例えば競馬であれば、投票券を発券するための発券装置で所望の勝ち馬投票券（以下、馬券と呼ぶ事とする）を発券する場合に、馬券を発券する投票者は先ず、投票用の申し込み用紙として主催者に指定された投票用マークシートの、各種賭け式や的中すると予想される馬番やその投票に対する掛け金などの投票科目（以下においては、各投票科目を組み合わせてなる投票内容のことも投票科目と呼ぶ事とする）を指定する指定欄から、投票科目の指定欄を例えば黒塗りや丸印やチェックマークなどの予め決められた色や形状のマークでマーキングをし、本投票用マークシート上に所望の投票内容（投票科目）を起こす。
【０００８】
そして、投票者によって投票内容（投票科目）が記された上記投票用マークシートが発券装置に光読み取りされることで、本投票用マークシート上に指定された投票内容（投票科目）が数値データ化される。
【０００９】
こうして、上記投票内容（投票科目）は発券装置と通信接続されるホストコンピュータに数値データで送信されて、適宜、集計処理や発券許可処理がなされることにより、発券装置において所望の馬券を発券することが可能となる。
【００１０】
また、他の例である商品購入時であれば、例えば通信販売などのように、商品の現物を店頭に置かず、その替わりに商品カタログを購入希望者に配布し、その商品カタログ中から購入希望者に商品を選ばせる。
【００１１】
商品の購入希望者は、予め販売会社に指定された商品申し込み用のマークシート上の、商品カタログから選んだ商品に対応する指定欄に対し、例えば黒塗りや丸印やチェックマークなどの予め決められた色や形状のマークを使用してマーキングする。
【００１２】
商品の購入希望者は所望の商品を指定した上記マークシートを販売会社に送り、販売会社で上記マークシートで指定された商品が所定の光読取装置に光読み取りされる事によって、購入希望者によって指定された商品が数値データに変換される。
【００１３】
こうして、その数値データ化された商品の発注処理が行なわれ、購入希望者に対するその商品の出荷手続きが行なわれる。
【００１４】
【発明が解決しようとする課題】
このように、所望とする馬券や商品などを、マークシート上に印刷された複数の投票科目の指定欄や商品の指定欄にマーキングで指定し、それを所定の光読取装置で光読み取りさせて数値データ化させたものを各種情報処理に利用させるといったケースにおいては、投票ゲームの投票者や商品の購入希望者などの記入者はマークシート上に印刷された投票科目から所望とする投票科目を選択するという手続きを常にとらなければならない。
【００１５】
この手続きにおいては、例えば上記競馬の例において言えば、投票者は、専門家によって予想された的中予想を場内外の馬券売り場や新聞などから入手して、投票する投票内容（投票科目）を決定しなければならない。
【００１６】
また、商品購入の例において言えば、販売会社から配布された商品カタログや季節毎に切り替わるお勧め商品を掲載したチラシなどを参考に、購入希望者は商品を決定しなければならない。
【００１７】
投票者や購入希望者などの記入者が、各種分野の選択に慣れている人であればまだましであるが、全くの初心者にとってはこの手続きに時間を要してしまい、中にはこのような手続きを採用しているサービスの利用を諦めてしまう者もおり問題であった。
【００１８】
先行技術として、マークシートに対して、ドロップアウトカラーと呼ばれる、マークシートを光読み取りする装置では認識できない色を使うことで、記入が必要な欄を記入者に認識させる技術や、手書きによるマークズレ等を防止するために、マークシート上の記入欄に対して正確にマーキングが行なえる装置などが開発されている。
【００１９】
しかし、何れの技術も記入者による投票科目等の選択手続きが済んだものに対して適用されるものであり、上記問題を解消するものではない。
よって、上述した手続きを必要とするサービスにおいて、特に初心者にとって、マークシート上の記入欄の選択が行ない易く、その結果、サービス自体の継続した利用を初心者などに促せるような発明が急務であった。
【００２０】
そこで本発明は、上記問題を鑑みてなされたものであって、提供主によるお勧め情報をマークシートやＯＣＲ（Ｏｐｔｉｃａｌ  Ｃｈａｒａｃｔｅｒ  Ｒｅａｄｅｒ）カードなどの光読み取りカード上に反映し、記入者による記入が容易で、かつ記入者が光読み取りカード上に指定した内容を誤り無く光読み取りできる、カード印刷機、光読み取りカード、及び投票カードを提供することを目的とする。
【００２１】
【特許文献１】
特開平１０―２６９３９４号公報
【特許文献２】
特開２００１−３３８０９９号公報
【００２２】
【課題を解決するための手段】
本発明は上記課題を解決するために以下のように構成する。
すなわち、本発明のカード印刷装置の態様の一つは、複数の情報の中から選択した一つ以上の情報を、該複数の情報の各々に対応して配列される指定欄をマーキングすることによって指定でき、該選択した情報を数値データ化する際は、該マーキングされた指定欄の光読み取りによって該選択した情報を数値データ化させることができる光読み取りカードに対し、該光読み取りカードの該指定欄または該指定欄の近傍位置に印刷を施すことを前提とし、該光読み取りカードの少なくとも一つの該指定欄または該指定欄の近傍位置に、該指定欄へのマーキングを推奨する、可視であるが該光読み取りにおいて光読み取りできない推奨マークを印刷する推奨マーク印刷手段を有する。
【００２３】
また、本発明のカード印刷装置の他の態様の一つは、複数の選択可能な投票科目を、該投票科目の各々に対応して配列される指定欄をマーキングすることによって指定でき、該マーキングした指定欄を発券装置に光読み取りさせることで該マーキングした指定欄に基づく投票券の発券が行なえる、該指定欄を表面に構成する投票カードに対し、該投票カードの該指定欄または該指定欄の近傍位置に印刷を施すことを前提とし、的中予想を行なう的中予想算出手段と、該的中予想の結果に対応する、該投票カードの指定欄または該指定欄の近傍位置に、該指定欄へのマーキングを推奨する、該発券装置おいて光読み取りされない推奨マークを印刷する推奨マーク印刷手段と、を有する。
【００２４】
また、本発明のカード印刷装置の他の態様の一つは、複数の選択可能な商品を、該商品の各々に対応して配列される商品指定欄をマーキングすることによって指定でき、該マーキングした商品指定欄を商品購入システムに光読み取りさせることで該マーキングした商品指定欄に基づく商品の取引が行なえる、該商品指定欄を表面に構成する商品購入カードに対し、該商品購入カードの該商品指定欄または該商品指定欄の近傍位置に印刷を施すことを前提とし、商品情報（例えば商品名や商品番号など、商品別の情報）を管理する商品情報管理手段と、該商品情報管理手段で管理されている商品情報を基にお勧め情報を設定するお勧め情報設定手段と、該お勧め情報設定手段でお勧め情報として設定した商品に対応する、該商品購入カードの該商品指定欄または該商品指定欄の近傍位置に、該指定欄へのマーキングを推奨する、該商品購入システムおいて光読み取りされない推奨マークを印刷する推奨マーク印刷手段と、を有する。
【００２５】
本発明の光読み取りカードの態様の一つは、複数の情報の中から選択した一つ以上の情報を、該複数の情報の各々に対応して配列される指定欄をマーキングすることによって指定でき、該選択した情報を数値データ化する際は、該マーキングされた指定欄の光読み取りによって該選択した情報を数値データ化させることができることを前提とし、該光読み取りカードの少なくとも一つの該指定欄または該指定欄の近傍位置に、該指定欄へのマーキングを推奨する、可視であるが該光読み取りにおいて光読み取りできない推奨マークが印刷されている。
【００２６】
また、本発明の光読み取りカードの他の態様の一つは、複数の選択可能な投票科目を、該投票科目の各々に対応して配列される指定欄をマーキングすることによって指定でき、該マーキングした指定欄を発券装置に光読み取りさせることで該マーキングした指定欄に基づく投票券の発券が行なえる、該指定欄を表面に構成する投票カードを前提とし、該指定欄または該指定欄の近傍位置に、該的中予想を示した、該発券装置において光読み取りされない推奨マークが印刷されている。
【００２７】
本発明では、複数の指定欄を有する光読み取りカード（投票カードや商品購入カードなど）に対して容易に指定が行なえるように、該指定欄または該指定欄の近傍位置に、該指定欄へのマーキングを推奨する推奨マークの印刷を可能とした。
【００２８】
そのことにより、例えば本発明を導入する投票ゲームの主催者や商品販売会社などは、光読み取りカードの指定欄または指定欄近傍位置の任意の位置に推奨マークを印刷できるようになり、記入者、特に初心者などは、該推奨マークに対応する記入欄を塗り潰すだけでもよいので、記入が各段に容易となる。
【００２９】
また、その推奨マークは、光読み取りカードを光読み取りする装置（発券装置や商品購入システムなど）では読み取りができないため、仮に、推奨マーク以外の指定欄をマーキングした場合であっても、読み取られるのは、記入者がマーキングした指定欄のみとなる。
【００３０】
【発明の実施の形態】
以下、本発明の実施の形態について図を参照しながら詳細に説明する。
なお、本発明の実施の形態として、第一に、公式競技の競馬における馬券購入の流れを例に挙げ、第二に、マークシートで商品取引が行なわれる生協での商品購入の流れを例に挙げる。
【００３１】
先ず、第一の馬券購入の流れを例に挙げる。
図１は、マークシート形式の投票用カードにマーキングされた投票科目を光読み取りして馬券を発券する発券装置を端末に有した、トータリゼータシステムの全体構成図である。
【００３２】
同図では、発券装置１００、屋外表示装置１０２、テレビモニタ１０４を制御するテレビ制御装置１０６、及びカード印刷機１０８と読取機１１０が接続されたオッズプリンタ１１２が、接続ケーブルによってホストコンピュータ１１４に接続されている。
【００３３】
また、同図のように、このホストコンピュータ１１４には投票集計部１１６とオッズ計算部１１８とが構成されている。
同図の発券装置１００は場外馬券売り場などに設置され、その機構は後に詳しく説明するが、投票者から投票カード１２０を受け付け、その投票カード１２０の所定の欄に投票者によってマーキングされた投票科目を読み取り、その投票科目をホストコンピュータに送信し、その投票科目に基づいてホストコンピュータから送信された発券情報を受信し、その受信した発券情報を基に馬券を発券する。
【００３４】
ホストコンピュータ１１４は、発券装置１００で読み取られた上記投票科目を発券装置１００から受信し、その投票科目に基づく集計を投票集計部１１６で行ない、その投票科目のオッズをオッズ計算部１１８で弾き出し、弾き出したオッズ情報を接続ケーブルを介して屋外表示装置１０２、テレビ制御装置１０６、及びオッズプリンタ１１２に送信する。なお、発券装置１００に対しては、その発券が有効か無効かを少なくとも示した発券情報を送信する。
【００３５】
ここで、投票集計部１１６における、投票科目に基づく集計とは、各発券装置１００から各投票者に対して発券された投票科目を順次集計し、図示されていないデータベースに投票科目毎に記録していくことを意味している。
【００３６】
また、オッズ計算部１１８におけるオッズを弾き出す処理は、特に図示はされていないが、演算処理部に対して記憶部に記憶された所定のオッズ計算プログラムを実行させ、例えば上記データベースに記録されているその時点の上記集計情報などを基に投票科目毎のオッズ情報を計算し、その時点のオッズ情報を生成する処理を意味している。
【００３７】
屋外表示装置１０２は、ホストコンピュータ１１４から送信されるオッズ情報と所定の制御信号の下、投票科目毎の最新のオッズを表示する。
テレビ制御装置１０６は、ホストコンピュータ１１４から送信されるオッズ情報に基づいて映像信号処理を施し、投票科目毎の最新のオッズをテレビモニタ１０４に表示する。
【００３８】
オッズプリンタ１１２は、ホストコンピュータ１１４から送信される最新のオッズ情報を常に保持し、投票者の要求に応じて最新のオッズを所定レイアウトで紙出力する。
【００３９】
カード印刷機１０８は、オッズプリンタ１１２で保持された最新のオッズ情報を基に所定の的中予想アルゴリズムの処理を実行し、この結果得られる的中予想に該当する投票カード上の投票科目記入欄に、発券装置１００では読み取りができない例えばドロップアウトカラーや微小マークでマーキングをする。
【００４０】
この所定の的中予想アルゴリズムには、例えば、その時点における購入者の多い馬番の組み合わせのＮ組（Ｎは整数）をオッズ情報から抽出し、その抽出したＮ組の馬番を購入者の多い順に並べ、その順を的中確率が高い予想順とみなす処理などが挙げられる。
【００４１】
なお、上記マーキングは上記ドロップアウトカラーで行なうことが最も望ましいが、発券装置１００では読み取りができない記入欄の近傍位置にマーキングする場合は、特にドロップアウトカラーに限定する必要はない。
【００４２】
また、本構成においてカード印刷機１０８はオッズプリンタ１１２からオッズ情報を取得する態様をとっているが、カード印刷機１１２がホストコンピュータ１１４からオッズ情報を直接取得する態様をとってもよい。
【００４３】
読取機１１０は、オッズプリンタ１１２におけるオッズ情報の紙出力料として、或いはカード印刷機１０８において投票カードに的中予想を印刷する的中予想印刷料として、投票者からプリペイドカードを受け付け、例えばオッズプリンタ１１２におけるオッズ表のプリントアウト毎やカード印刷機１０８における的中予想付き投票カードの発行毎に所定ポイントを引き落とすなど、所定の単位で決済する。
【００４４】
このような構成下における、投票者による馬券の発券は次のように行なわれる。
投票者は、先ず、的中予想に最低限必要となる投票科目を決定し、同図のカード印刷機１０８においてその投票科目に基づく的中予想を行ない、その的中予想の結果が印刷された的中予想付き投票カードを獲得する。
【００４５】
この的中予想付き投票カードにマーキングされたマークは同図の発券装置１００によって読取られないため、投票者は読取装置１００が読み取り可能な色や大きさで的中予想付き投票カードにマーキングを行なう。
【００４６】
そして、投票者はその投票カードを発券装置１００に読み込ませて、同図のホストコンピュータ１１４からの発券許可の下、そのマーキングされた投票科目に基づく馬券が発券装置１００で発券される。
【００４７】
このように、投票者は、馬券を発券するための投票科目を新聞やテレビモニタ１０４や屋外表示装置１０２などを利用して絞り込む前に、通常の投票カードに対して的中予想が印刷された的中予想付き投票カードをカード印刷機１０８で獲得することができる。
【００４８】
そして、投票者はその予想に従ってスムーズに投票科目のマーキングを行なうことができるようになる。
特に初心者にとっては、上記的中予想付き投票カードに従って馬券を発券できるので、発券装置において投票科目を選択するなどによるもたつきは無くなり、発券装置やオッズプリンタなどにおける混雑が緩和される。
【００４９】
図２は、上記カード印刷機１０８のブロック図である。
同図の制御部２００は、本発明の実施形態においては、各部の制御プログラムや的中予想プログラムを記憶する或いは演算等において使用する、ＲＯＭ（ＲｅａｄＯｎｌｙ  Ｍｅｍｏｒｙ）やＲＡＭ（Ｒａｎｄｏｍ  Ａｃｃｅｓｓ  Ｍｅｍｏｒｙ）などの記憶部、及び上記各種のプログラムが実行されるマイクロコンピュータによって構成される。
【００５０】
同図のカード取込／排出部２０２は、本カード印刷機１０８の本体カバーに投票カードの投入口（及び返却口）を構成し、その本体内部には、例えば投入口から投入された投票カードの上下をローラーで挟んでその投票カードを印字位置まで巻き込む、投票カード取り込み機構（及びローラーを逆回転させることで投票カードを返却口に排出する投票カード排出機構）を有し、制御部２００からの制御信号に基づいて動作する。
【００５１】
また、同図のカード取込／排出部２０２は、同図には示されていないが、複数のフォーマットの投票カードを収容する投票カード収容部から、投票者によって入力部から指定された投票カードを抽出して印字位置まで搬送させるようにしてもよい。
【００５２】
外部インターフェース部２０４は、制御部２００からの指示の基、同図に示されていないオッズプリンタからオッズ情報を取得する。
入力部２０６は、例えば投票者によるキーボード操作やタッチパネル操作などに基づいて、その操作信号を制御部２００に送る。
【００５３】
表示部２０８は、ＣＲＴや液晶などのモニタで構成され、上記的中予想プログラムに許容される所定の的中予想パラメータ（例えば、投票科目である開催日・開催場所・レース番号・式別など）の選択画面、その他の選択画面、或いは各種確認画面を、制御部２００による制御指示の基、その画面上に表示させる。
【００５４】
印字部２１０は、上記表示部２０８に表示された的中予想パラメータの選択画面に基づいて投票者が入力部２０６から指定した投票科目に対して制御部２００で算出される的中予想の結果（馬番の組み合わせなど）を、印字位置に配置された投票カードの対応欄に、発券装置１００で読み取り不可能なドロップアウトカラーや微小マークで印字する。
【００５５】
図３は、図１のカード印刷機１０８において、投票者によって指定された的中予想パラメータを基に算出された的中予想を投票カードに印字した、的中予想付き投票カードの一例である。
【００５６】
同図の的中予想付き投票カード３００の例では、レース会場の場名を指定できる場名欄３０２、投票するレースのレース番号を指定できるレース番号欄３０４、単勝・複勝・枠連・馬連・ワイド・３連勝の各種賭け式を指定できる式別欄３０６、入賞する馬番を着順で指定したり一度指定した馬番を取消したりでき、本例においては五つまで投票を行なうことができる同図破線で囲まれた馬番指定欄３０８、及び前日発売の投票券かどうかを指定する前日発売指定欄３１０からなる投票科目を有し、各投票科目に対して、投票者が投票を希望する投票科目にマーキングするためのマーク記入欄（同図の矩形）が予め設けられた構成の投票カードを使用している。また、同図の投票カード３００の下辺に平行して断続的に印刷されている矩形パターンは、発券装置の光読み取り部でマーキングの位置を特定するために使用されるタイミングマーク３１２である。
【００５７】
なお、この投票カード３００に配列されている各投票科目の種類やそれらの配列パターン、及び投票カード３００の大きさや形状などは任意のものであって良く、同図に示される投票カードに限定されるものではない。
【００５８】
よって、当然、上記投票カードには従来から使用されている投票カードを適用してもよいこととなる。
本例においては、図１のカード印刷機１０８で図３の的中予想付き投票カード３０８を出力する際に、図２に示す、カード印刷機の入力部２０６から、投票科目として、場名に「中山」、レース番号に「２」、式別に「複勝」を指定した。
【００５９】
そして、図３に示されるように、場名３０２の「中山」、レース番号３０４の「２」、式別３０６の「複勝」、及び、的中予想アルゴリズムによる処理を経て得られた的中予想の結果である馬番「１」３１４及び馬番「３」３１６が、ドロップアウトカラーにて印刷されている。
【００６０】
このように、投票者は、カード印刷機１０８を介することによって、ドロップアウトカラーで指定された欄を参考にして投票を行なうことが可能となる。なお、投票を行なう際は、言うまでもないが、発券装置で許容されているカラーを使用して、ドロップアウトカラーで指定された欄の上塗りや、その他の欄を新たにマーキングして投票を行なう。
【００６１】
そして、上記ドロップアウトカラーで指定された欄の上塗りを行なう場合には、誤って別の欄をマーキングするようなミスが無くなる。
なお、上述した的中予想付き投票カードの例では的中予想された記入欄に対してドロップアウトカラーを印刷した例を述べたが、ドロップアウトカラー以外にも、後に詳しく例を挙げて説明するが、発券装置で読み取りできない微小マークの印刷や、投票カードにおける読み取り対象領域以外へのマーキングなど、発券装置では読み取りできなければ、他の手段をとることもできる。
【００６２】
次に、このような的中予想付き投票カードを読み取らせて馬券を発券する発券装置について説明する。
図４は、発券装置１００の発券機構を示したブロック図である。
【００６３】
同図には、投票カード読取部４０２、投票券発券部４０４、ＣＰＵ４０６、インターフェース制御部４０８が構成されている。
なお、ここでの説明は特に行なわないため図示をしていないが、その他にも、投票者によりキーボード入力やタッチパネル入力によりＣＰＵ４０６に指示を送ることができる入力部やＣＰＵ４０６の制御に基づいて所定の画面が表示される表示部などを備えている。
【００６４】
同図の投票カード読取部４０２は、特に図示されていないが、発券装置１００の本体カバーに投票カード（本例においては的中予想付き投票カード３００とするが、通常の投票カードであってもよい）の投入口を構成し、その本体内部には、例えば投入口から投入された投票カード３００の上下をローラーで挟んで所定位置まで巻き込む投票カード吸い込み機構や、投票カード３００のマーク記入された面を光読み取りし、図３において特に図示はしなかったが、投票カードの読み取り面に構成された投票カード識別マークから投票カードの種類を判定し、後に説明するＣＰＵ４０６の記憶部などに記憶された各種投票カードごとの記入欄の配置を示すパターンテーブルを基に、投票カード３００の下部に構成されたタイミングマーク３１２単位で記入欄のマーキング位置を認識する光読み取り機構や、不要になった投票カードを廃棄する廃棄機構などを備える。
【００６５】
投票券発券部４０４は、特に図示されてはいないが、発券装置１００の本体カバーに馬券排出口を構成し、その本体内部には馬券を排出する馬券排出機構と、図示されていないホストコンピュータから送信された発券情報を基に、馬券用紙に投票内容を印字して馬券を発券する、馬券発券機構を備える。
【００６６】
ＣＰＵ４０６は、本例においては、各部の制御プログラムを記憶したり、投票カードの各種パターンを記憶したり、或いは演算等において使用されたりする、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶部、そして、上記各種のプログラムが実行されるマイクロコンピュータとで構成される。
【００６７】
インターフェース制御部４０８は、投票カード読取部４０２から光読み取りされた投票カード３００の投票科目を図示されていないホストコンピュータに接続ケーブルを介して送信したり、或いはホストコンピュータから接続ケーブルを介して送信された上記投票科目に基づく発券情報（発券許可通知等）を受信したりする、ホストコンピュータとのデータ送受信制御を行なう。
【００６８】
このように、上記構成下の発券装置１００に対して、投票者によりマーク記入を済ませた的中予想付き投票カードを投入しても、投票カード読み取り部４０２においては投票者によるマーク記入位置のみが読み取られ、その他の、読み取り不可能な色や大きさで記入されたマークや読み取り不可能な領域に記入されたマークは全て未記入のものとして取り扱われる。
【００６９】
当然、上記発券装置１００に従来のものを適用する事も可能である。
その場合、その発券装置で読み取りが不可能な色や大きさのマークを（或いは発券装置で読み取り不可能な位置に任意のマークを）上述したカード印刷機１０８で印刷できるようにする。
【００７０】
次に、投票カードの記入欄に印字する、的中予想を示すマークの印刷例を示す。
図５は、投票カードに、推奨する組番（馬番の組み合わせ）をドロップアウトカラーで印刷した場合の印刷例である。
【００７１】
同図では、投票カード上の連続する三つの記入欄（記入欄５０１、記入欄５０２、記入欄５０３）のみを示しており、本例では記入欄５０１及び記入欄５０３にドロップアウトカラーが印字された形態をとっている。
【００７２】
同図の記入欄５０１、５０３内に示される斜線領域５０４がドロップアウトカラーで印字されている領域である。
なお、本例は、ドロップアウトカラーを使用しているため、記入欄５０１、５０３内に示されるドロップアウトカラーの印字形状は同図に示される斜線領域５０４の形状に限らず、任意の形状をとることができる。
【００７３】
よって、投票者に対して指定位置が分かりさえすれば、記入欄５０１、５０３からはみ出して印字しても特に問題はない。
なお、以下のマーク印刷例についても、特に明記しない限り、上記同様に、投票カード上の連続する三つの記入欄（記入欄５０１、記入欄５０２、記入欄５０３）を対象に、記入欄５０１及び記入欄５０３にマークが印刷されている例を基に説明する。
【００７４】
図６は、投票カードに対し、発券装置１００で読み取ることのできない微小マークで、推奨する組番を印刷した例である。
同図の記入欄５０１、５０３内に示される楕円の線６００が発券装置１００で読み取りができない微小マークの一例として示されている。
【００７５】
発券装置１００における光読み取り精度に応じ、その精度を超える例えば同図のような微小マーク６００で的中予想を示すことによって、発券装置に通してもその微小マークは認識されない。
【００７６】
図７は、投票カードに対し、発券装置１００で読み取ることのできない微小マークで、推奨する組番を印刷した一例である。
同図の記入欄５０１、５０３内に示される直線７００が、図６に続いて発券装置１００で読み取りができない微小マークの一例として示されている。
【００７７】
発券装置１００における光読み取り精度に応じ、その精度を超える例えば同図のような細い線７００によって的中予想を印刷することによって、発券装置に通してもその細い線は認識されない。
【００７８】
図８は、投票カードに対し、発券装置１００で読み取ることのできない記入欄外に、推奨する組番を印刷した一例である。
同図の記入欄５０１、５０３の外に示される矩形の線８００が、発券装置１００で読み取りができない記入欄外マークの一例として示されている。
【００７９】
発券装置１００における光読み取りにおいては、図３の的中予想付き投票カード３００のタイミングマーク３１２を基準として上方に配列される、所定の大きさの記入欄内を対象に、その記入欄のマーキングの有無を認識するため、本例のような記入欄外に的中予想をマーク指定する場合は、発券装置に通してもその指定マークは認識されない。
【００８０】
図９は、ドロップアウトカラーで印刷された推奨組番に投票者がマーキングを施した場合の例である。
同図においては、記入欄５０１、５０３内に示される斜線領域５０４が予めドロップアウトカラーにて印刷された領域であって、その上に例えば鉛筆やペンなどで黒塗りして発券装置１００でドロップアウト印刷された個所を読み取れるようにする。
【００８１】
以上図５から図９に示したマーク印刷例はほんの一例であり、発券装置に光読み取りされない仕様のマークであれば何れのマークでも的中予想のマーク用として利用できる。
【００８２】
但し、的中予想マークは、何れの記入欄を指定してよいか分かるように、当該記入欄の欄内若しくは近傍位置に印刷することが望ましい。
続いて、本発明の実施の形態の第二の例として、マークシート形式の商品申し込みカードを利用して商品取引が行なわれる、生協での商品購入の流れを例に挙げる。
【００８３】
図１０は、生協における、消費者の商品購入の流れを示す全体ブロック図である。
同図は、ディスプレイＫ／Ｂ（ＤＩＳＰ）１０００、パーソナルコンピュータ（ＰＣ）１００２、在庫管理システム（ＳＹＳＴＥＭ）１００４、及びドロップアウトカラーカード印刷装置（ＰＲＴ）１００６で構成されたお勧め商品登録システムと、ディスプレイＫ／Ｂ（ＤＩＳＰ）１０１０、パーソナルコンピュータ（ＰＣ）１０１２、及び商品申し込みカード読み取り装置（ＳＣＡＮ）１０１４で構成された商品発注システムとからなる。
【００８４】
先ず、お勧め商品登録システムについて説明する。
同図のＤＩＳＰ１０００は、例えば液晶やＣＲＴなどの表示装置と、例えばキーボードやタッチパネルなどの入力装置とからなる。
【００８５】
上記表示装置では、ＰＣ１００２からの制御信号を受けて、後に説明するお勧め商品設定画面や各種の操作画面を表示する。
上記入力装置では、例えば、上記表示装置に表示された各種画面に構成されるボタンの指定をしてＰＣ１００２にその信号を送信する。
【００８６】
同図のＰＣ１００２は、本発明の実施の形態で使用するお勧め商品設定プログラムや各部の制御プログラムなどを記憶する、或いは演算処理等で一時的に使用される、ＲＯＭやＲＡＭなどの記憶部、演算処理を実行するＣＰＵ（中央演算処理装置）、外部機器と通信を行なう通信インターフェースなどが互いにバス接続されて構成されるパーソナルコンピュータである。
【００８７】
同図のＳＹＳＴＥＭ１００４は、商品の商品名、商品番号・商品の在庫数・商品単価・お勧め商品・特価商品などの商品情報を記録するデータベース、データベースに記録された商品情報の、登録・更新・削除・検索・抽出等を行なう商品情報管理プログラムやその他各種プログラムを記憶したり、演算処理等で一時的に使用されたりする、ＲＯＭやＲＡＭなどの記憶部、演算処理を実行するＣＰＵ（中央演算処理装置）、外部機器と通信を行なう通信インターフェースなどを有する、サーバーで構成され、ＰＣ１００２からの要求信号に基づいてデータベースに記録した所定の商品情報を抽出し、その商品情報をＰＣ１００２に送信する。
【００８８】
同図のドロップアウトカラーカード印刷装置１００６は、ＰＣ１００２による指示の下、申し込みカード（商品購入カード）１０２０に所定のフォーマットでドロップアウトカラー印刷を施す。
【００８９】
次に、商品発注システムについて説明する。
同図のＤＩＳＰ１０１０は、例えば液晶やＣＲＴなどの表示装置と、例えばキーボードやタッチパネルなどの入力装置とからなる。
【００９０】
上記表示装置では、ＰＣ１０１２からの制御信号を受けて、商品の出荷を指示する操作画面などを表示する。
上記入力装置では、例えば、上記表示装置に表示された各種画面に構成されるボタンの指定をしてＰＣ１０１２にその信号を送信する。
【００９１】
同図のＰＣ１０１２は、上記商品の出荷を指示するための商品出荷指示プログラムや後述するＳＣＡＮ１０１４で取り込む申し込みカード１０２０のイメージを解析するイメージ解析プログラムやその他各種プログラムを記憶する、或いは演算処理等で一時的に使用される、ＲＯＭやＲＡＭなどの記憶部、演算処理を実行するＣＰＵ（中央演算処理装置）、外部機器と通信を行なう通信インターフェースなどが互いにバス接続されて構成されるパーソナルコンピュータである。
【００９２】
なお、上記イメージ解析プログラムは、例えば、予め記憶部などに記憶された当該申し込みカード１０２０の、商品記入欄の配置を示すパターンテーブルを基に、申し込みカードの下部に構成されたタイミングマーク単位で、ＳＣＡＮ１０１４で光読み取りされる申し込みカード１０２０の商品記入欄のマーキング位置を解析する
また、上記商品出荷指示プログラムは、購入を希望する商品の購入取引に必要な、例えば購入者の氏名や商品の配達先住所や、上記イメージ解析プログラムで読み取った商品の商品番号等を出荷受付センターに通信を介して送信するなど、商品を出荷する上で必要な処理を行なう。
【００９３】
同図のＳＣＡＮ１０１４は、申し込みカード１０２０の光読み取り装置（例えばＯＭＲなど）である。
上述したシステム構成の下、商品の提供者は、お勧め商品登録システムを使って、データベースに記録している商品情報を抽出し、抽出した商品の中からお勧め商品を設定し、その設定したお勧め商品に該当する、申し込みカード１０２０上の商品指定欄に、ＰＲＴ１００６によってドロップアウトカラーのお勧めマークを印刷し、その申し込みカード１０２０を商品の購入希望者１０１６に配布する。
【００９４】
一方、商品の購入希望者１０１６は、その申し込みカード１０２０上の上記お勧めマークを参考にしながら、ＳＣＡＮ１０１４において読み取りが可能なカラーで、そのお勧めマークを上塗りまたはその他の所望の欄をマーキングする。
【００９５】
そして、購入を希望する商品のマーキングをその申し込みカード１０２０に終えた購入希望者１０１６は、そのカード１０２０を商品の提供者に渡す。
商品の提供者は、商品発注システムのＳＣＡＮ１０１４に、記入済みの申し込みカード１０２０を読み取らせ、所定の発注処理を行ない、ＰＣ１０１２から出荷受付センターに対して、当該商品の出荷指示を送信する。
【００９６】
図１１は、上記お勧め商品登録システムで申し込みカード上へのお勧め商品のアナウンスを設定する際の、ＤＩＳＰ１０００に表示される操作画面の展開例である。
【００９７】
なお、本例においては、ＰＣ１００２において上記お勧め商品設定プログラムが起動され、商品設定プログラムの各ステップの実行に基づいてＤＩＳＰ１０００の表示装置に表示される画面が切り替わり、画面上に選択がある場合は、ＤＩＳＰ１０００の入力装置から指定することによって、ＰＣ１０００でそれが検出され、その指定に基づいて商品設定プログラムの処理が実行される。
【００９８】
商品設定プログラムを起動すると、ＤＩＳＰ１０００の表示装置に商品設定画面が表示される（Ｓ１１００）。
本画面においては、初期画面として予め設定されていた今週の販売商品リストが、ＳＹＳＴＥＭ１００４のデータベースに登録されている商品情報から抽出され、表示される。
【００９９】
ステップＳ１１００に示される画面においては、今週の販売商品と販売価格とが横並びで対応付けされて、縦に１０の商品が一覧で表示されている。
そして、同画面の下方には、お勧め商品として設定するためのお勧め商品番号入力欄１１０１と特価商品として設定するための特価商品番号入力欄１１０２が表示される。
【０１００】
ＤＩＳＰ１０００の入力装置から、お勧め商品として商品番号１及び２の２つの商品が指定され、特価商品として商品番号７が指定されると、画面が切り替わり、上記指定した商品の確認画面が表示される（Ｓ１１１０）。
【０１０１】
同図に示されるように、ＤＩＳＰ１０００の入力装置から、Ｙを指定すればお勧め商品と特価商品を夫々上記指定した商品に仮設定し、Ｎを指定すればステップＳ１１００に戻ってお勧め商品と特価商品の指定をやり直す。
【０１０２】
同画面に示されるようにＹが指定されると、続いて、その商品番号に対応する商品名とその商品の販売価格が表示される（Ｓ１１２０）。
この画面において、お勧め商品及び特価商品を上記設定した商品番号のものと対応しているかどうかが確認できる。
【０１０３】
同図に示されるように、ＤＩＳＰ１０００の入力装置から、Ｙを指定すればお勧め商品と特価商品を夫々上記指定した商品として確定し、Ｎを指定すればステップＳ１１００に戻ってお勧め商品と特価商品の指定をやり直す。
【０１０４】
同画面に示されるようにＹが指定されると、続いて、マークシート（申し込みカード）をＰＲＴ１００６にセットする指示メッセージ付きの画面が表示される（Ｓ１１３０）。
【０１０５】
この画面では、ドロップアウトカラーで印刷する申し込みカードの枚数を指定する枚数指定欄１１０３も表示される。
ＤＩＳＰ１０００の入力装置から、印刷枚数として２００枚が入力されると、同図のように上記指定した印刷枚数が表示される（Ｓ１１４０）。
【０１０６】
続いて、印刷の形態の確認画面に切り替わる（Ｓ１１５０）。
同画面では、お勧め商品に対して商品記入欄の隣に赤色のポッチで印刷し、特価商品に対して商品記入欄にドロップアウトカラー（本例の場合、ピンク色）で印刷し、その印刷枚数を２００枚とする、本印刷の形態の確認画面である。
【０１０７】
同画面において、Ｙを指定すればお勧め商品と特価商品の印刷を上記形態で開始し、Ｎを指定すれば、ステップＳ１１３０に戻って印刷枚数を修正したり、或いは特に図示されてはいないが、例えば印刷の形態を変更する変更画面などに表示を切替えて印刷の形態の設定を変更したりするなどして、本印刷の形態の確認画面に戻る。
【０１０８】
さて、ステップＳ１１５０の画面のようにＹが指定されると、お勧め商品と特価商品の印刷を上記形態で開始し始め、ＤＩＳＰ１０００の表示装置に「マークシート印刷中」と表示される（Ｓ１１６０）。
【０１０９】
そして、申し込みカード２００枚の全ての印刷を終えると、同形態の追加印刷の確認画面が表示される（Ｓ１１７０）。
同画面で追加を指定した場合（Ｎを選択した場合）は、例えば、ステップＳ１１３０に戻って追加する印刷枚数の入力をする。また、同画面に示されるように追加指定しない場合（Ｙを選択した場合）は、本印刷の完了メッセージを表示させて本プログラムを終了する（Ｓ１１８０）。
【０１１０】
このようにして、商品提供者は、お勧め商品登録システムによって申し込みカードに対して、お勧め商品や特価商品を商品指定欄外へのマーク指定やドロップアウトカラーで商品指定欄にマーク指定がなされた図１０の申し込みカード１０２０を生成することができ、商品の購入希望者に対する各種商品の販促が可能になる。
【０１１１】
図１２は、図１０の商品購入の流れを示す全体ブロック図において、商品の購入希望者１０１６に配布される同図の申し込みカード１０２０と同図には特に図示されていない商品カタログの一例である。
【０１１２】
図１２（ａ）は、上記商品カタログの一例である。
同図（ａ）には、生協カタログの発行番号、選択対象商品の申し込み期間と配達日、そして、今週の販売商品と販売価格とが横並びで対応付けされて、縦に１０個の商品が一覧で示されている。
【０１１３】
また、図１２（ｂ）は、上記申し込みカード１０２０の一例である。
同図（ｂ）には、同図（ａ）の商品カタログに掲載されている商品を指定するための商品番号指定欄１２０２、商品番号指定欄１２０２に指定した商品の数量（本例では１個から３個までの選択が可能）を指定するための数量指定欄１２０４、及び、例えばお勧め情報や特価情報を掲載する備考欄１２０６を切り取り線１２０８に対して同図の左側に配置し、切り取り線１２０８に対して同図の右側に購入希望者用のメモ欄を配置している。
【０１１４】
そして、同図（ｂ）の商品番号記入欄１２０２の商品番号１及び２に該当する商品指定欄１２１０の各左隣に、図１１のお勧め商品登録システムにおいてお勧め商品として設定した赤色のポッチが印刷され、同図（ｂ）の商品番号記入欄１２０２の商品番号７に該当する、同図（ｂ）に斜線で示す商品指定欄１２１２に、図１１のお勧め商品登録システムにおいて特価商品として設定したドロップアウトカラー（ピンク色）が印刷されている。
【０１１５】
商品の購入希望者は、上記申し込みカードの赤色のポッチが対応する商品指定欄やドロップアウトカラーが印刷された商品指定欄を参考に、同図（ａ）の商品カタログ１２００と照らし合わせながら、所望の商品を選ぶことができるようになる。
【０１１６】
よって、何も示されない場合よりも商品の購入がし易くなり、商品購入希望者の購買意欲も増すようになる。
そして、所望とする商品が上記赤色のポッチやドロップアウトカラーで指定されている商品である場合には、例えば鉛筆などを使って、ドロップアウトカラーで印刷された個所１２１２を上塗りしたり、赤ポッチで指定された商品指定欄１２１０を塗潰すだけでよいので、購入希望者による記入ミスもなくなる。
【０１１７】
（付記１）  複数の情報の中から選択した一つ以上の情報を、該複数の情報の各々に対応して配列される指定欄をマーキングすることによって指定でき、該選択した情報を数値データ化する際は、該マーキングされた指定欄の光読み取りによって該選択した情報を数値データ化させることができる光読み取りカードに対し、該光読み取りカードの該指定欄または該指定欄の近傍位置に印刷を施すカード印刷装置であって、
該光読み取りカードの少なくとも一つの該指定欄または該指定欄の近傍位置に、該指定欄へのマーキングを推奨する、可視であるが該光読み取りにおいて光読み取りできない推奨マークを印刷する推奨マーク印刷手段を有することを特徴とするカード印刷装置。
【０１１８】
（付記２）  前記推奨マーク印刷手段は、前記光読み取りカードの少なくとも一つの前記指定欄に対して、前記光読み取りにおいて光読み取りできないドロップアウトカラーの推奨マークを印刷する、ことを特徴とする付記１に記載のカード印刷装置。
【０１１９】
（付記３）  前記推奨マーク印刷手段は、前記光読み取りカードの少なくとも一つの前記指定欄に対して、前記光読み取りにおいて光読み取りできない微小の推奨マークまたは細い線を印刷する、ことを特徴とする付記１に記載のカード印刷装置。
【０１２０】
（付記４）  前記推奨マーク印刷手段は、前記光読み取りカードの少なくとも一つの前記指定欄の、前記光読み取りにおいて光読み取りできない近傍位置に対して推奨マークを印刷する、ことを特徴とする付記１に記載のカード印刷装置。
【０１２１】
（付記５）  複数の選択可能な投票科目を、該投票科目の各々に対応して配列される指定欄をマーキングすることによって指定でき、該マーキングした指定欄を発券装置に光読み取りさせることで該マーキングした指定欄に基づく投票券の発券が行なえる、該指定欄を表面に構成する投票カードに対し、該投票カードの該指定欄または該指定欄の近傍位置に印刷を施すカード印刷装置であって、
的中予想を行なう的中予想算出手段と、
該的中予想の結果に対応する、該投票カードの指定欄または該指定欄の近傍位置に、該指定欄へのマーキングを推奨する、可視であるが該発券装置において光読み取りされない推奨マークを印刷する推奨マーク印刷手段と、
を有することを特徴とするカード印刷装置。
【０１２２】
（付記６）  複数の選択可能な商品を、該商品の各々に対応して配列される商品指定欄をマーキングすることによって指定でき、該マーキングした商品指定欄を商品購入システムに光読み取りさせることで該マーキングした商品指定欄に基づく商品の取引が行なえる、該商品指定欄を表面に構成する商品購入カードに対し、該商品購入カードの該商品指定欄または該商品指定欄の近傍位置に印刷を施すカード印刷装置であって、
商品情報を管理する商品情報管理手段と、
該商品情報管理手段で管理されている商品情報を基にお勧め情報を設定するお勧め情報設定手段と、
該お勧め情報設定手段でお勧め情報として設定した商品に対応する、該商品購入カードの該商品指定欄または該商品指定欄の近傍位置に、該指定欄へのマーキングを推奨する、可視であるが該商品購入システムにおいて光読み取りされない推奨マークを印刷する推奨マーク印刷手段と、
を有することを特徴とするカード印刷装置。
【０１２３】
（付記７）  複数の情報の中から選択した一つ以上の情報を、該複数の情報の各々に対応して配列される指定欄をマーキングすることによって指定でき、該選択した情報を数値データ化する際は、該マーキングされた指定欄の光読み取りによって該選択した情報を数値データ化させることができる光読み取りカードであって、
該光読み取りカードの少なくとも一つの該指定欄または該指定欄の近傍位置に、該指定欄へのマーキングを推奨する、可視であるが該光読み取りにおいて光読み取りできない推奨マークが印刷されていることを特徴とする光読み取りカード。
【０１２４】
（付記８）  複数の選択可能な投票科目を、該投票科目の各々に対応して配列される指定欄をマーキングすることによって指定でき、該マーキングした指定欄を発券装置に光読み取りさせることで該マーキングした指定欄に基づく投票券の発券が行なえる、該指定欄を表面に構成する投票カードであって、
該指定欄または該指定欄の近傍位置に、該的中予想を示した、可視であるが該発券装置において光読み取りされない推奨マークが印刷されている、
ことを特徴とする投票カード。
【０１２５】
（付記９）  複数の選択可能な投票科目の中から投票科目を選択して投票ゲームの投票券を取得するにあたり、該投票科目の各々に対応して配列される投票カード上の指定欄の、該選択した投票科目に対応する指定欄を、該投票券の発券装置で光読み取りが可能な、色または大きさまたは太さのマークで指定し、該マークで指定した指定欄を該発券装置に光読み取りさせ、該マークで指定した指定欄に基づく該投票券を該発券装置で発券させる、投票券の発券方法であって、
該投票カード上の該指定欄または該指定欄の近傍位置に、該発券装置では光読み取りできず人には判別できる色または大きさまたは太さで的中予想を印刷し、該印刷に基づいて、該投票カード上の指定欄を該投票券の発券装置で光読み取りが可能な色または大きさまたは太さのマークで指定し、
該投票カード上の指定欄を該発券装置に光読み取りさせ、
該マークで指定した指定欄に基づく該投票券を該発券装置で発券する、
ことを特徴とする投票券の発券方法。
【０１２６】
（付記１０）  複数の商品の中から該商品を選択して該商品の購入を購入希望者に行なわせるにあたり、該商品の各々に対応して配列される商品購入カード上の指定欄の、該選択した商品に対応する指定欄を、該商品の発注を依頼する発注システムで光読み取りが可能な、色または大きさまたは太さのマークで指定させ、該マークで指定した指定欄を該発注システムに光読み取りさせ、該マークで指定した指定欄に基づく商品の購入取引を該購入希望者に行なわせる、商品の販売方法であって、
商品に関連する商品情報が記憶される記憶装置から商品情報を抽出し、
該抽出した商品情報に基づいて、所定の商品にお勧め情報を設定し、
該お勧め情報が設定された商品に対応する、該商品購入カードの該商品指定欄または該商品指定欄の近傍位置に、該発注システムでは光読み取りできず人には判別できる色または大きさまたは太さで、該商品指定欄へのマーキングを推奨する推奨マークを印刷し、
該推奨マークが印刷された商品購入カードを商品に購入希望者に配布し、
該推奨マークが印刷された該商品指定欄または該商品指定欄の近傍位置に基づいて、該商品購入カード上の商品指定欄を該発注システムで光読み取りが可能な色または大きさまたは太さのマークで該商品の購入者に指定させ、
該商品購入カード上の商品指定欄を該発注システムに光読み取りさせ、
該マークで指定した指定欄に基づく商品の購入取引を該購入希望者に行なわせる、ことを特徴とする商品の販売方法。
【０１２７】
【発明の効果】
以上述べたように、本発明では、複数の指定欄を有する光読み取りカードに対して容易に指定が行なえるように、該指定欄または該指定欄の近傍位置に、該指定欄へのマーキングを推奨する推奨マークの印刷を可能とした。
【０１２８】
そのことにより、本発明を導入する、例えば主催者や販売会社などの提供主は、光読み取りカードの指定欄または指定欄近傍位置の任意の位置に推奨マークを印刷できるようになるので、提供主側は記入者に推奨するものをより一層販促することができるようになる。
【０１２９】
対する記入者、特に初心者などは、該推奨マークに対応する記入欄を塗り潰すだけで指定欄を指定できるので、指定欄への記入が各段に容易となり、例えば本発明を導入するサービスの利用を継続して行なう意欲が増す。
【０１３０】
さらに、該推奨マークに対応する記入欄を指定する場合には、マークシート上の記入位置が推奨マークによって示されているので、記入者による誤った個所への記入ミスが無くなる。
【０１３１】
また、その推奨マークは、光読み取りカードを光読み取りする装置では読み取りができないため、仮に、推奨マーク以外の指定欄をマーキングした場合であっても、読み取られるのは、記入者がマーキングした指定欄のみとなるため、記入者の選択の幅は従来通りのものを享受できる。
【図面の簡単な説明】
【図１】発券装置を端末に有したトータリゼータシステムの全体構成図である。
【図２】カード印刷機１０８のブロック図である。
【図３】的中予想付き投票カードの一例である。
【図４】発券装置１００の発券機構を示したブロック図である。
【図５】記入欄に対するドロップアウトカラー印刷の例である。
【図６】記入欄に対する微小マーク印刷の例である（その一）。
【図７】記入欄に対する微小マーク印刷の例である（その二）。
【図８】記入欄外へのマーク印刷の例である。
【図９】ドロップアウトカラー印刷された記入欄に投票者がマーキングを上塗りした場合の例である。
【図１０】生協における、購入希望者の商品購入の流れを示す全体ブロック図である。
【図１１】お勧め商品登録システムで申し込みカード上へのお勧め商品のアナウンスを設定する際の操作画面例である。
【図１２】商品の購入希望者に配布される申し込みカードと商品カタログの一例である。
【符号の説明】
１００      発券装置
１０２      屋外表示装置
１０４      テレビモニタ
１０６      テレビ制御装置
１０８      カード印刷機
１１０      読取機
１１２      オッズプリンタ
１１４      ホストコンピュータ
１１６      投票集計部
１１８      オッズ計算部
１２０      投票カード
【図１】
2004227254.tif 000003
【図２】
2004227254.tif 000004
【図３】
2004227254.tif 000005
【図４】
2004227254.tif 000006
【図５】
2004227254.tif 000007
【図６】
2004227254.tif 000008
【図７】
2004227254.tif 000009
【図８】
2004227254.tif 000010
【図９】
2004227254.tif 000011
【図１０】
2004227254.tif 000012
【図１１】
2004227254.tif 000013
【図１２】
2004227254.tif 000014